【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
オーディオ・デコード方法であって：
二チャネル・ダウンミックス信号を受領する段階であって、前記ダウンミックス信号は、該ダウンミックス信号に基づくMチャネル・オーディオ信号のパラメトリック再構成のためのアップミックス・パラメータを含むメタデータに関連付けられており、M≧4である、段階と；
前記メタデータの少なくとも一部を受領する段階と；
前記ダウンミックス信号の少なくとも一つのチャネルに基づいて脱相関信号を生成する段階と；
受領されたメタデータに基づいて一組の混合係数を決定する段階と；
それらの混合係数に基づいて前記ダウンミックス信号および前記脱相関信号の線形結合としてKチャネル出力信号を形成する段階であって、2≦K＜Mである、段階とを含み、
前記混合係数は、前記ダウンミックス信号の第一のチャネルから前記出力信号のあるチャネルへの寄与を制御する混合係数と前記ダウンミックス信号の前記第一のチャネルから前記出力信号の別のチャネルへの寄与を制御する混合係数との和が値1をもつよう決定され、
前記ダウンミックス信号が第一の符号化フォーマット（F1）に従って前記Mチャネル・オーディオ信号を表わし、前記第一の符号化フォーマットでは：
前記ダウンミックス信号の第一のチャネルは、前記Mチャネル・オーディオ信号の第一のグループの一つまたは複数のチャネルのある線形結合に対応し、
前記ダウンミックス信号の第二のチャネルは、前記Mチャネル・オーディオ信号の第二のグループの一つまたは複数のチャネルのある線形結合に対応し、
前記第一のグループおよび前記第二のグループは、前記Mチャネル・オーディオ信号のM個のチャネルのある分割をなす、場合、
前記Kチャネル出力信号は第二の符号化フォーマット（F2,F4）に従って前記Mチャネル・オーディオ信号を表わし、前記第二の符号化フォーマットでは：
前記出力信号のK個のチャネルのそれぞれが前記Mチャネル・オーディオ信号のあるグループの一つまたは複数のチャネルの線形結合を近似し；
前記出力信号のそれぞれのチャネルに対応するグループが前記Mチャネル・オーディオ信号のM個のチャネルの、一つまたは複数のチャネルのK個のグループへの分割をなし；
前記K個のグループのうちの少なくとも二つが前記第一のグループからの少なくとも一つのチャネルを含む、ように決定される、
オーディオ・デコード方法。
【請求項２】
K＝2、K＝3またはK＝4である、および／またはM＝5またはM＝6である、請求項１記載のオーディオ・デコード方法。
【請求項３】
受領されたメタデータが前記アップミックス・パラメータを含を含み、前記混合係数は、前記アップミックス・パラメータを処理することによって決定される、請求項１または２記載のオーディオ・デコード方法。
【請求項４】
前記第一の符号化フォーマットでは、前記Mチャネル・オーディオ信号の各チャネルは、そのチャネルからの、そのダウンミックス信号のチャネルが対応する前記線形結合のうちの一線形結合への寄与を制御する0でない利得と関連付けられており、
前記第二の符号化フォーマットでは、前記Mチャネル・オーディオ信号の各チャネルは、そのチャネルからの、前記出力信号のチャネルによって近似される前記線形結合のうちの一線形結合への寄与を制御する0でない利得と関連付けられており、
前記Mチャネル・オーディオ信号の各チャネルについて、前記第一の符号化フォーマットにおいてそのチャネルと関連付けられている0でない利得は、前記第二の符号化フォーマットにおいてそのチャネルと関連付けられている0でない利得と一致する、請求項１ないし３のうちいずれか一項記載のオーディオ・デコード方法。
【請求項５】
前記脱相関信号は二チャネル信号であり、前記出力信号は、高々二つの脱相関信号チャネルを前記ダウンミックス信号と前記脱相関信号との線形結合に含めることによって形成される、請求項１ないし４のうちいずれか一項記載のオーディオ・デコード方法。
【請求項６】
K＝3であり、前記出力信号を形成することは、四チャネルから三チャネルへの投影に相当する、請求項５記載のオーディオ・デコード方法。
【請求項７】
前記Mチャネル・オーディオ信号は、前記Mチャネル・オーディオ信号のための再生環境における異なる水平方向を表わす三つまたは四つのチャネルと、前記再生環境における前記三つまたは四つのチャネルの方向から垂直に離間した方向を表わす二つのチャネルとを含む、請求項１ないし６のうちいずれか一項記載のオーディオ・デコード方法。
【請求項８】
前記第一のグループは、前記三つのチャネルからなり、前記第二のグループは前記再生環境における前記三つのチャネルの方向から垂直に離間した方向を表わす前記二つのチャネルからなる、請求項７記載のオーディオ・デコード方法。
【請求項９】
前記K個のグループのうちの一つが、前記再生環境における前記三つまたは四つのチャネルの方向から垂直に離間した方向を表わす前記二つのチャネルの両方を含む、請求項７記載のオーディオ・デコード方法。
【請求項１０】
前記脱相関信号が二つのチャネルを含み、前記脱相関信号の第一のチャネルは前記ダウンミックス信号の前記第一のチャネルに基づいて得られ、前記脱相関信号の第二のチャネルは前記ダウンミックス信号のたった一つのチャネルに基づいて得られる、請求項１ないし９のうちいずれか一項記載のオーディオ・デコード方法。
【請求項１１】
前記Mチャネル・オーディオ信号の少なくとも二つの符号化フォーマット（F1,F2,F3）のうちの一つを示す信号伝達をさらに含み、それらの符号化フォーマットは、前記Mチャネル・オーディオ信号のチャネルの、前記ダウンミックス信号のチャネルに関連付けられたそれぞれ第一および第二のグループへのそれぞれの異なる分割に対応し、
前記K個のグループはあらかじめ定義されており、前記混合係数は、前記Mチャネル・オーディオ信号のチャネルの、前記出力信号のチャネルによって近似される前記K個のグループへの単一の分割が前記少なくとも二つの符号化フォーマットについて維持されるよう決定される、
請求項１ないし１０のうちいずれか一項記載のオーディオ・デコード方法。
【請求項１２】
前記少なくとも二つの符号化フォーマットのうちの第一の符号化フォーマット（F1）においては、前記第一のグループは、前記Mチャネル・オーディオ信号についての再生環境における異なる水平方向を表わす三つのチャネル（L,LS,LB）からなり、前記第二のグループは、前記再生環境における前記三つのチャネルの方向から垂直に離間した方向を表わす二つのチャネル（TFL,TBL）からなり、
前記少なくとも二つの符号化フォーマットのうちの第二の符号化フォーマット（F2）では、前記第一のグループおよび前記第二のグループのそれぞれが、前記再生環境における前記三つのチャネルの方向から垂直に離間した方向を表わす前記二つのチャネルの一つを含む、
請求項１１記載のオーディオ・デコード方法。
【請求項１３】
デコード部（７００、１２００）を有するオーディオ・デコード・システム（８００）であって、前記デコード部は：
二チャネル・ダウンミックス信号（L1,L2）を受領する段階であって、前記ダウンミックス信号は、該ダウンミックス信号に基づくMチャネル・オーディオ信号（L,LS,LB,TFL,TBL）のパラメトリック再構成のためのアップミックス・パラメータ（αLU）を含むメタデータに関連付けられており、M≧4である、段階と；
前記メタデータの少なくとも一部を受領する段階と；
前記ダウンミックス信号および受領されたメタデータに基づいてKチャネル出力信号を提供する段階とを実行するよう構成されており、2≦K＜Mであり、
前記デコード部は：
前記ダウンミックス信号の少なくとも一つのチャネルを受領し、それに基づいて脱相関信号（D）を出力するよう構成された脱相関部（７１０、１２１０）と；
受領されたメタデータに基づいて一組の混合係数を決定し、それらの混合係数に基づく、前記ダウンミックス信号および前記脱相関信号の線形結合として、前記出力信号を形成するよう構成された混合部（７２０、１２２０）とを有し、
前記混合部は、前記混合係数を：
前記ダウンミックス信号の第一のチャネルから前記出力信号のあるチャネルへの寄与を制御する混合係数と前記ダウンミックス信号の前記第一のチャネルから前記出力信号の別のチャネルへの寄与を制御する混合係数との和が値1をもつよう決定するよう構成されており、
前記ダウンミックス信号が第一の符号化フォーマット（F1）に従って前記Mチャネル・オーディオ信号を表わし、前記第一の符号化フォーマットでは：
前記ダウンミックス信号の第一のチャネルは、前記Mチャネル・オーディオ信号の第一のグループの一つまたは複数のチャネルのある線形結合に対応し、
前記ダウンミックス信号の第二のチャネルは、前記Mチャネル・オーディオ信号の第二のグループの一つまたは複数のチャネルのある線形結合に対応し、
前記第一のグループおよび前記第二のグループは、前記Mチャネル・オーディオ信号のM個のチャネルのある分割をなす、場合、
前記Kチャネル出力信号は第二（F2,F4）の符号化フォーマットに従って前記Mチャネル・オーディオ信号を表わし、前記第二の符号化フォーマットでは：
前記出力信号のK個のチャネルのそれぞれが前記Mチャネル・オーディオ信号のあるグループの一つまたは複数のチャネルの線形結合を近似し；
前記出力信号のそれぞれのチャネルに対応するグループが前記Mチャネル・オーディオ信号のM個のチャネルの、一つまたは複数のチャネルのK個のグループ（５０１〜５０２、１３０１〜１３０３）への分割をなし；
前記K個のグループのうち少なくとも二つが前記第一のグループからの少なくとも一つのチャネルを含む、
オーディオ・デコード・システム。
【請求項１４】
当該オーディオ・デコード・システムはさらに追加的なデコード部（８０５）を有しており、前記追加的なデコード部は：
追加的な二チャネル・ダウンミックス信号（R1,R2）を受領する段階であって、前記追加的なダウンミックス信号は、該追加的なダウンミックス信号に基づく追加的なMチャネル・オーディオ信号（R,RS,RB,TFR,TBR）のパラメトリック再構成のための追加的なアップミックス・パラメータ（αRU）を含む追加的なメタデータに関連付けられておいる、段階と；
前記追加的なメタデータの少なくとも一部を受領する段階と；
前記追加的なダウンミックス信号および追加的な受領されたメタデータに基づいて追加的なKチャネル出力信号を提供する段階とを実行するよう構成されており、
前記追加的なデコード部は、前記追加的なダウンミックス信号の少なくとも一つのチャネルを受領し、それに基づいて追加的な脱相関信号を出力するよう構成された追加的な脱相関部と；
受領された追加的なメタデータに基づいて一組の追加的な混合係数を決定し、それらの追加的な混合係数に基づく、前記追加的なダウンミックス信号および前記追加的な脱相関信号の線形結合として、前記追加的な出力信号を形成するよう構成された追加的な混合部とを有しており、
前記追加的な混合部は、前記追加的な混合係数を：
前記追加的なダウンミックス信号の第一のチャネルから前記追加的な出力信号のあるチャネルへの寄与を制御する混合係数と前記追加的なダウンミックス信号の前記第一のチャネルから前記追加的な出力信号の別のチャネルへの寄与を制御する混合係数との和が値1をもつよう決定するよう構成されており、
前記追加的なダウンミックス信号が第三の符号化フォーマットに従って前記追加的なMチャネル・オーディオ信号を表わし、前記第三の符号化フォーマットでは：
前記追加的なダウンミックス信号の第一のチャネルは、前記追加的なMチャネル・オーディオ信号の第一のグループの一つまたは複数のチャネルの線形結合に対応し、
前記追加的なダウンミックス信号の第二のチャネルは、前記追加的なMチャネル・オーディオ信号の第二のグループの一つまたは複数のチャネルの線形結合に対応し、
前記第一のグループおよび前記第二のグループは、前記追加的なMチャネル・オーディオ信号のM個のチャネルのある分割をなす、場合、
前記追加的なKチャネル出力信号は第四の符号化フォーマットに従って前記追加的なMチャネル・オーディオ信号を表わし、前記第四の符号化フォーマットでは：
前記追加的な出力信号のK個のチャネルのそれぞれが前記Mチャネル・オーディオ信号のあるグループの一つまたは複数のチャネルの線形結合を近似し；
前記追加的な出力信号のそれぞれのチャネルに対応するグループが前記追加的なMチャネル・オーディオ信号のM個のチャネルの、一つまたは複数のチャネルのK個のグループ（５０３〜５０４、１３０４〜１３０６）への分割をなし；
前記追加的なMチャネル・オーディオ信号の一つまたは複数のチャネルの前記K個のグループのうち少なくとも二つが前記追加的なMチャネル・オーディオ信号の前記第一のグループのチャネルからの少なくとも一つのチャネルを含む、よう決定するよう構成されている、
請求項１３記載のオーディオ・デコード・システム。
【請求項１５】
前記ダウンミックス信号、前記受領されたメタデータおよび離散的に符号化されたオーディオ・チャネル（C）をビットストリーム（B）から抽出するよう構成されたデマルチプレクサ（８０１）と；
前記離散的に符号化されたオーディオ・チャネルをデコードするよう動作可能な単一チャネル・デコード部とをさらに有する、
請求項１３または１４記載のデコード・システム。
【請求項１６】
請求項１ないし１４のうちいずれか一項記載の方法を実行するための命令をもつコンピュータ可読媒体を有するコンピュータ・プログラム・プロダクト。